(57)【要約】【課題】  逆円錐台形状のカップ容器で、蓋板と蓋板の外周に垂下する周縁とから形成される蓋体を有するカップ容器に取り付けられる表示用枠体であって、枠体を構成するブランクの紙の取り都合が良好で、かつ製造工程における取り付け並びに係止操作が容易で、しかも外観意匠性にすぐれた表示用枠体を提供する。【解決手段】  蓋板と蓋板の外周に垂下する周縁とからなる蓋体で施蓋した逆円錐台形状のカップ容器に取り付ける表示用の枠体であって、底板、側板、天板、側板並びに重合底板を順に連設し、両側板の幅方向中央部近傍の天板方向寄りでカップ容器の蓋体の周縁下端に当接する位置に上向き凸状の係止突起をそれぞれ穿設してなるブランクから構成され、底板と重合底板とを重合糊着して枠体を形成し、容器を内包する枠体の両側板に穿設された係止突起が容器の蓋体の周縁下端内側にそれぞれ嵌入係止される表示用枠体。【選択図】        図４
2007253958.tif 000002
【特許請求の範囲】
【請求項１】
蓋板と蓋板の外周に垂下する周縁とからなる蓋体で施蓋した逆円錐台形状のカップ容器に取り付ける表示用の枠体であって、底板、側板、天板、側板並びに重合底板を順に連設し、前記両側板の幅方向中央部近傍の前記天板方向寄りで前記カップ容器の蓋体の周縁下端に当接する位置に上向き凸状の切線で形成される係止突起をそれぞれ穿設してなるブランクから構成され、前記底板と前記重合底板とを重合糊着して枠体を形成し、前記容器を内包する前記枠体の両側板に穿設された係止突起が前記容器の蓋体の周縁下端内側にそれぞれ嵌入係止されることを特徴とする表示用枠体。
【請求項２】
蓋板と蓋板の外周に垂下する周縁とからなる蓋体で施蓋した逆円錐台形状のカップ容器に、請求項１記載の表示用枠体を取り付けて構成されることを特徴とする表示用枠体付き容器。
【発明の詳細な説明】
【技術分野】
【０００１】
本発明は、食料品や飲料品等のプラスチック製や紙製からなるカップ容器すなわち逆円錐台形状容器で、蓋板と蓋板の外周に垂下する周縁とから形成される蓋体を特徴とする容器の表示用枠体に関するものである。
【背景技術】
【０００２】
従来、この種の表示用枠体としては、飲料品等の金属缶製品が複数個集積される集積包装に紙製スリーブ状の包装が使用され、また芳香剤等一般家庭雑貨のプラスチック製本体容器の外装には単体用に紙製スリーブ状の包装が多数使用されてきた。上記包装は、一般に単体あるいは複数個の容器に対し、頂部から両側部を通って帯状に掛け回され底部で両端部を相互に係止する等してスリーブを形成するものであって、該スリーブに製品告知あるいは広告的意匠等を施してなる。内包される容器類の前記スリーブとの固定すなわちスリーブからの内包容器類の脱落を防止する方法としては、前記内包される容器がスリーブと接するスリーブの角部に円弧状等の切込みあるいは切欠き部を穿設する構造が一般的に用いられてきた。しかしながら、上記の固定方法はスリーブに切断部分や穿孔部分を形成するため、表面に施される製品告知や広告的意匠に欠損部を生じたり、同じく製品告知や広告的意匠の連続性を損なう等、外観意匠性において欠点を有していた。
【０００３】
一方、アイスクリーム等の食品では、逆円錐台形形状の紙製の容器本体に同じく紙製の被せ蓋を冠したカップ容器に関して、図５に示すごとく、上記のスリーブ１０１に切込みあるいは切欠き部を施す固定構造部分がさらに穿孔状態１０３となって、表面に施される製品告知や広告的意匠に大きな欠損部を生じていた。穿孔部分から突出するカップの蓋の垂下部分は搬送・輸送時に汚損され易く、製品自体の美観をも損ねるという欠点を有していた。
【０００４】
また、カップ容器とは異なるが、「円板状の底部を有する収容本体」と「周縁にフランジを有し収容本体の上部に取り付けられる蓋材」を備えた容器に対して、その外周側面を筒状に保持する容器ホルダーが提案されており、実施形態としては、四角筒状の周壁上部に前記「周縁にフランジを有し収容本体の上部に取り付けられる蓋材」のフランジ周縁をホールドする上部ホールド開口が形成され、周壁底部に前記「円板状の底部を有する収容本体」の円板状の底部周縁をホールドする底部ホールド開口が形成された折返フラップが延設されてなるもので、容器の収容本体と蓋材との閉蓋状態を維持するとともに商品広告のための印刷面を有する容器ホルダーが示されている（特許文献１参照）。
【特許文献１】特開２００３−２３１５５３号公報
【０００５】
上記特許文献１に記載された容器ホルダーにおいて、蓋材の周縁は上部ホールド開口部分から大きく露出するものであり、前述の被せ蓋を冠したカップ容器の被せ蓋の露出部分と同様に、前記上部ホールド開口部分も周壁表面に施される製品告知や広告的意匠に大きな欠損部を生じ、かつ開口部分から露出する蓋材の周縁は搬送・輸送時に汚損され易く、製品自体の美観をも損ねるという欠点を有していた。
【発明の開示】
【発明が解決しようとする課題】
【０００６】
そこで、本発明の目的は、上記問題を解決するためになしたもので、食料品や飲料品等のプラスチック製や紙製からなるカップ容器すなわち逆円錐台形状容器で、蓋板と蓋板の外周に垂下する周縁とから形成される蓋体を特徴とする容器に取り付けられる表示用枠体であって、枠体を構成するブランク形状が帯状で紙の取り都合が良好で、かつ製造工程における取り付け並びに係止操作が容易で、しかも外観意匠性にすぐれた表示用枠体を提供することにある。
【課題を解決するための手段】
【０００７】
上記課題を解決するため、請求項１の発明は、蓋板と蓋板の外周に垂下する周縁とからなる蓋体で施蓋した逆円錐台形状のカップ容器に取り付ける表示用の枠体であって、底板、側板、天板、側板並びに重合底板を順に連設し、前記両側板の幅方向中央部近傍の前記天板方向寄りで前記カップ容器の蓋体の周縁下端に当接する位置に上向き凸状の切線で形成される係止突起をそれぞれ穿設してなるブランクから構成され、前記底板と前記重合底板とを重合糊着して枠体を形成し、前記容器を内包する前記枠体の両側板に穿設された係止突起が前記容器の蓋体の周縁下端内側にそれぞれ嵌入係止されることを特徴とする表示用枠体である。
【０００８】
請求項２の発明は、蓋板と蓋板の外周に垂下する周縁とからなる蓋体で施蓋した逆円錐台形状のカップ容器に、請求項１記載の表示用枠体を取り付けて構成されることを特徴とする表示用枠体付きカップ容器である。
【発明の効果】
【０００９】
本発明の表示用枠体は、底板、側板、底板、側板、重合底板を順に連設してなる帯状ブランクから構成されるので、使用する紙の取り都合が良好で、用紙ロスが少ないので経済的である。しかも、製造工程における取り付け操作ならびに係止操作は、枠体への容器挿入操作ならびに両側板に設けられた係止突起の押圧操作により容易に行うことができるので、設備的、時間的にも経済的である。
【００１０】
さらに本発明の表示用枠体は、枠体部分に内包容器固定のための切断部分や穿孔部分を形成することが少なく、表面に施される製品告知や広告的意匠に欠損部を生じることが少ないので、製品告知や広告的意匠の連続性を損なうことを僅少に留めることができ、外観意匠性において優れた効果を得ることが出来る。しかも、係止突起の嵌入係止により、枠体側板から露出するカップ容器蓋体部分は僅かで、かつ図４の表すように枠体側板の内層に有るので、搬送・輸送による汚損は少なく、製品自体の美観を損ね難いという効果がある。
【発明を実施するための最良の形態】
【００１１】
上記本発明について、図面等を用いて以下に詳述する。図１は本発明に係る表示用枠体の実施例のブランク状態を示す展開平面図。図２は同じく実施例の組立途中の状態を示す説明用斜視図。図３は同じく実施例の組立完了状態を示す説明用斜視図。図４は同じく実施例の組立完了の係合状態を示す説明用拡大断面図。図５は従来の表示用枠体の組立状態を示す斜視図である。
【００１２】
図１は本発明に係る表示用枠体の実施例のブランク状態を示す展開平面図であって、板紙等シート材を打抜き加工して形成されるブランクＡは、横折線Ｌ１、Ｌ２、Ｌ３、Ｌ４を介して上から底板１、側板２、天板３、側板４、重合底板５、を順に連設し、前記側板２の幅方向中央部近傍の前記天板３方向寄りで後述するカップ容器Ｂの蓋体１０の周縁１２下端に当接する位置に前記天板３向きに弧状の切線Ｌ７で形成される係止突起６を穿設し、同じく前記側板４の幅方向中央部近傍の前記天板３方向寄りで後述するカップ容器Ｂの蓋体１０の周縁１２下端に当接する位置に前記天板３向きに凸状の切線Ｌ８で形成される係止突起７を穿設して構成されている。尚、前記側板４には、該側板４を横断する平行な破断線Ｌ５およびＬ６でジッパー８が設けられているが、枠体の開封に用いるもので本構成に限定されるものでは無い。また、前記係止突起６および７は弧状の切線で形成されているが、これに限定されるものではなく、山状、台形状等としてもよい。尚、切線両端の切り返し部分は、切線による破れを緩和する構成であって、他の形状の構成を用いてもよい。
【００１３】
図２は同じく実施例の組立途中の状態を示す説明用斜視図で、本発明の表示用枠体の組み立てにあたっては、図に示すように、逆円錐台形形状のカップ容器Ｂ、詳しくは逆円錐台形形状の周壁１４と、該周壁上端が周額部を有する開放端である天部と、前記周壁下端が底壁１５を用いて凹部を有する閉塞端である底部とから形成され、前記天部を平坦な蓋板１１と該蓋板１１の外周に垂下する周縁１２とからなる蓋体１０で施蓋した逆円錐台形状のカップ容器に対し、ブランクＡの横折線Ｌ１、Ｌ２、Ｌ３、Ｌ４を用いて底板１、側板２、天板３、側板４、重合底板５を折り曲げ、前記天板３をカップ容器Ｂの蓋部１０に、前記側板２、４をそれぞれカップ容器Ｂの周壁１４に、前記重合底板５をカップ容器Ｂの底部にそれぞれ略当接させ、次いで前記底板１を重合底板５に当接重合するとともに糊着して表示用枠体Ｃを形成する。しかる後に前記側板２および４に穿設された係止突起６および７を押圧して、該係止突起６および７の先端部がそれぞれカップ容器Ｂの周縁１２の下端内側に嵌入係合されて組立を完了する。
【００１４】
図３は同じく実施例の組立完了状態を示す説明用斜視図、図４は同じく実施例の組立完了の係合状態を示す説明用拡大Ｘ−Ｘ線断面図であって、前述の如く、ブランクを折り曲げ、カップ容器に対し掛け帯状に取り付け、貼着して筒状を形成すると共に、側板２および４に穿設された係止突起６および７を押圧して、該係止突起６および７の先端部がそれぞれカップ容器Ｂの蓋体１０の周縁１２下端内側に嵌入係合されることにより、カップ容器Ｂに表示用枠体Ｃが取り付けられた状態を示しており、図に示すように、それぞれカップ容器Ｂの蓋体１０の周縁１２下端内側に嵌入係合された係合突起６および７は、蓋体１０の直径部分に係合されているので、カップ容器Ｂは表示用枠体Ｃの開放方向への移動を規制され、表示用枠体Ｃから安易に脱落することが無い。
【００１５】
表示枠体Ｃからのカップ容器Ｂの取り出し或いは離脱については、通常の帯状集積包装いわゆるマルチプルパックの開梱に使用されるように、筒状部分を横断する破断線や平行破断線による帯状開封構造いわゆるジッパー構造の使用により、筒状胴部を破断して切り離すことにより、内容物の取り出し或いは離脱が可能である。本実施例においては、図１から図３に示すように、側板４を平行に横断する破断線Ｌ５およびＬ６で形成されるジッパー８の開封によって表示枠体Ｃの筒状の解除が可能である。
【図面の簡単な説明】
【００１６】
【図１】本発明に係る表示用枠体の実施例のブランク状態を示す展開平面図。
【図２】同じく実施例の組立途中の状態を示す説明用斜視図。
【図３】同じく実施例の組立完了状態を示す説明用斜視図。
【図４】同じく実施例の組立完了の係合状態を示す説明用拡大断面図。
【図５】従来の表示用枠体の組立状態を示す斜視図。
【符号の説明】
【００１７】
Ａ                ブランク
Ｂ                カップ容器
Ｃ                表示枠体
１                底板
２、４側板
３                天板
５                重合底板
６、７            係止突起
８                ジッパー
１０                蓋体
１１                蓋板
１２                周縁
１３                本体
１４                周壁
１５                底壁
【図１】
2007253958.tif 000003
【図２】
2007253958.tif 000004
【図３】
2007253958.tif 000005
【図４】
2007253958.tif 000006
【図５】
2007253958.tif 000007